(57)【要約】【課題】電源シーケンス制御用のマイコンが異常状態に陥った場合であってもシステムを異常な状態に陥らせずに安全にシステムの電源を落とす。【解決手段】複数の電源系統を備えた画像形成装置１は、複数の電源系統のそれぞれを順に起動及び停止させるための電源制御信号を出力するシーケンス制御マイコン１０２と、与えられた各電源制御信号に従って複数の電源系統のそれぞれを個別に起動及び停止させる電源オン／オフ制御回路１０４と、シーケンス制御マイコン１０２から出力された電源制御信号を電源オン／オフ制御回路１０４に伝達するバッファ回路１０３と、シーケンス制御マイコン１０２からの電源制御信号の出力により複数の電源系統が起動された後は、バッファ回路１０３を、電源制御信号を電源オン／オフ制御回路１０４に伝達しない状態に切り換える主制御部１０１とを備える。【選択図】図３
2016085404.tif 000002
【特許請求の範囲】
【請求項１】
複数の電源系統のそれぞれを起動及び停止させる各電源制御信号を出力する電源シーケンス制御部と、
与えられた前記各電源制御信号に従って前記複数の電源系統のそれぞれを個別に起動／停止させる電源オン／オフ制御回路と、
前記電源シーケンス制御部から出力された前記電源制御信号の前記電源オン／オフ制御回路への伝達及び非伝達を切り換えるバッファ回路と、
前記電源シーケンス制御部からの前記電源制御信号の出力により、前記バッファ回路を介して、前記電源オン／オフ制御回路により前記複数の電源系統が起動された後、前記バッファ回路を、前記電源制御信号を前記電源オン／オフ制御回路に伝達しない状態に切り換える主制御部と、を備えた電子機器。
【請求項２】
前記主制御部は、前記複数の電源系統を終了させるときに、前記バッファ回路を、前記電源シーケンス制御部から出力される前記電源制御信号を前記電源オン／オフ制御回路に伝達する状態に切り換える請求項１に記載の電子機器。
【請求項３】
前記複数の電源系統の元電源の瞬時停電を検出して、瞬停検出信号を、前記電源シーケンス制御部、前記バッファ回路、及び前記主制御部に出力する瞬停検出回路を備え、
前記主制御部は、電源断を生じてはならない予め定められた動作を実行している時に、前記瞬停検出信号を受けたときは、電源断に備える予め定められたシーケンスを完了させ、
前記電源シーケンス制御部は、前記瞬停検出信号を受けたとき、前記複数の電源系統のそれぞれを順に停止させるための電源制御信号を出力し、
前記バッファ回路には、前記主制御部による前記予め定められたシーケンスの完了時以降のタイミングで前記瞬停検出信号が入力され、前記バッファ回路は、当該瞬停検出信号に応じて、前記電源シーケンス制御部から出力された電源制御信号を、前記電源オン／オフ制御回路に伝達する状態に切り換わる請求項１又は請求項２に記載の電子機器。
【請求項４】
各種表示をする表示部を備え、
前記主制御部は、前記電源シーケンス制御部の動作状態が異常であると判断したとき、電源断に備える予め定められたシーケンスを完了させた後、前記表示部に、当該電子機器の電源断又は再起動を促すメッセージを表示させる請求項１乃至請求項３のいずれかに記載の電子機器。
【請求項５】
請求項１乃至請求項４のいずれかに記載の電子機器であって、
記録媒体に画像形成を行う画像形成部を備える画像形成装置。
【発明の詳細な説明】
【技術分野】
【０００１】
本発明は、電子機器及び画像形成装置に関し、特に、複数の電源系統のオン・オフを制御する技術に関する。
【背景技術】
【０００２】
近年、電子機器の省エネの必要性が増してきている。プリンターや複合機等の画像形成装置のコントローラー基板においても消費電力の低減が求められており、その実現方法として、電源電圧を細分化して制御することが挙げられる。これにより、機器のスリープ中に不要な電源電力を極力落とすこと等で消費電力の低減を実現する。しかし、電源電圧を細分化した制御は、電源系統（電源回路）を増やすことになり、その結果、電源の入力、切断シーケンスが複雑になってしまっている。
【０００３】
この複雑な電源シーケンスを容易に制御する手段として、例えば、下記特許文献１のように、システムの制御に直接関与しない、電源シーケンスを制御するためのマイコンを用意する構成がある。このマイコンに予め電源シーケンス制御をプログラミングしておくことで、上記のような電源シーケンスを行う。
【先行技術文献】
【特許文献】
【０００４】
【特許文献１】特開２０１０−１７６３５６号公報
【発明の概要】
【発明が解決しようとする課題】
【０００５】
しかし、機器の動作中に、電源シーケンスを制御する上記マイコンが何らかの要因でロックしてしまった場合、いきなり電源が落とされてしまうおそれがある。このとき、メインシステム側としては、例えば、ＣＰＵが不揮発性メモリーのファームウェアプログラムを書き換え中に電源が落ちることもある。この場合、以後ファームウェアプログラムが正常に機能しなくなり、次回起動時に機器が正常に起動できなくなるおそれがある。
【０００６】
本発明は、上記の問題を解決するためになされたもので、電源シーケンス制御用のマイコンが異常状態に陥った場合であっても、システムが異常な状態に陥らずに安全にシステムの電源を落とすことを目的とする。
【課題を解決するための手段】
【０００７】
本発明の一局面に係る画像形成装置は、複数の電源系統のそれぞれを起動及び停止させる各電源制御信号を出力する電源シーケンス制御部と、
与えられた前記各電源制御信号に従って前記複数の電源系統のそれぞれを個別に起動／停止させる電源オン／オフ制御回路と、
前記電源シーケンス制御部から出力された前記電源制御信号の前記電源オン／オフ制御回路への伝達及び非伝達を切り換えるバッファ回路と、
前記電源シーケンス制御部からの前記電源制御信号の出力により、前記バッファ回路を介して、前記電源オン／オフ制御回路により前記複数の電源系統が起動された後、前記バッファ回路を、前記電源制御信号を前記電源オン／オフ制御回路に伝達しない状態に切り換える主制御部と、を備えたものである。
【発明の効果】
【０００８】
本発明によれば、電源系統の起動後は、バッファ回路が、電源シーケンス制御部から出力される電源制御信号を電源オン／オフ制御回路に伝達しない状態になるので、電源シーケンス制御部が異常になった場合でも、当該異常な電源シーケンス制御部から出力される電源制御信号によって電源オン／オフ制御回路が動作することが防止され、電源関係の各システムが異常動作する事態を回避できる。このため、電源シーケンス制御部の異常により例えば不慮の電源断が生じても、書き換え中のソフトウェアやメモリーが破壊されること等を防ぎ、このような不慮の電源断が生じた後であっても次回システムの起動に正常にシステムを起動させることが可能になる。
【図面の簡単な説明】
【０００９】
【図１】本発明の一実施形態に係る画像形成装置の構造を示す正面断面図である。
【図２】画像形成装置の主要内部構成を示す機能ブロック図である。
【図３】電源制御回路の構成を示す電気的ブロック図である。
【図４】画像形成装置の起動時の動作を示すフローチャートである。
【図５】省電力モードへ移行時の動作を示すフローチャートである。
【発明を実施するための形態】
【００１０】
以下、本発明の一実施形態に係る電子機器及び画像形成装置について図面を参照して説明する。図１は、本発明の一実施形態に係る画像形成装置の構造を示す正面断面図である。
【００１１】
本発明の一実施形態に係る画像形成装置１は、例えば、コピー機能、プリンター機能、スキャナー機能、及びファクシミリ機能のような複数の機能を兼ね備えた複合機である。画像形成装置１は、装置本体１１に、操作部４７、画像形成部１２、定着部１３、給紙部１４、原稿給送部６、及び原稿読取部５等を備えて構成されている。画像形成装置１は、本発明に係る電子機器の一例である。
【００１２】
操作部４７は、画像形成装置１が実行可能な各種動作及び処理について操作者から画像形成動作実行指示や原稿読取動作実行指示等の指示を受け付ける。操作部４７は、表示部４７３を備える。表示部４７３は、タッチパネル機能を有するＬＣＤ（Liquid Crystal Display）で構成されている。
【００１３】
画像形成装置１が原稿読取動作を行う場合、原稿給送部６により給送されてくる原稿、又は原稿載置ガラス１６１に載置された原稿の画像を原稿読取部５が光学的に読み取り、画像データを生成する。原稿読取部５により生成された画像データは内蔵ＨＤＤ又はネットワーク接続されたコンピューター等に保存される。
【００１４】
画像形成装置１が画像形成動作を行う場合は、上記原稿読取動作により生成された画像データ、又はネットワーク接続されたコンピューターから受信した画像データ、又は内蔵ＨＤＤに記憶されている画像データ等に基づいて、画像形成部１２が、給紙部１４から給紙される記録媒体としての用紙Ｐにトナー像を形成する。カラー印刷を行う場合、画像形成部１２のマゼンタ用の画像形成ユニット１２Ｍ、シアン用の画像形成ユニット１２Ｃ、イエロー用の画像形成ユニット１２Ｙ、及びブラック用の画像形成ユニット１２Ｂｋは、それぞれに、上記画像データを構成するそれぞれの色成分からなる画像に基づいて、帯電、露光、及び現像の工程により感光体ドラム１２１上にトナー像を形成し、当該トナー像を一次転写ローラー１２６により中間転写ベルト１２５上に転写させる。
【００１５】
中間転写ベルト１２５上に転写される上記各色のトナー画像は、転写タイミングを調整して中間転写ベルト１２５上で重ね合わされ、カラーのトナー像となる。二次転写ローラー２１０は、中間転写ベルト１２５の表面に形成された当該カラーのトナー像を、中間転写ベルト１２５を挟んで駆動ローラー１２５ａとのニップ部Ｎにおいて、給紙部１４から搬送路１９０を搬送されてきた用紙Ｐに転写させる。この後、定着部１３が、用紙Ｐ上のトナー像を、熱圧着により用紙Ｐに定着させる。定着処理の完了したカラー画像形成済みの用紙Ｐは、排出トレイ１５１に排出される。
【００１６】
なお、画像形成装置１において、両面印刷を行う場合は、画像形成部１２より一方の面に画像が形成された用紙Ｐを、排出ローラー対１５９にニップされた状態とした後、当該用紙Ｐを排出ローラー対１５９によりスイッチバックさせて反転搬送路１９５に送り、搬送ローラー対１９により、上記ニップ部Ｎ及び定着部１３に対して用紙Ｐの搬送方向上流域に再度搬送する。これにより、画像形成部１２により当該用紙の他方の面に画像が形成される。
【００１７】
次に、画像形成装置１の構成を説明する。図２は画像形成装置１の主要内部構成を示す機能ブロック図である。画像形成装置１は、制御ユニット１０、操作部４７、原稿給送部６、原稿読取部５、画像形成部１２、画像処理部３１、画像メモリー３２、駆動モーター７０、ファクシミリ通信部７１、ネットワークインターフェイス部９１、ＨＤＤ９２、及び電源制御回路１００等を備える。
【００１８】
原稿読取部５は、制御ユニット１０による制御の下、光照射部及びＣＣＤセンサー等を有する読取機構１６３（図１を参照）を備える。原稿読取部５は、光照射部により原稿を照射し、その反射光をＣＣＤセンサーで受光することにより、原稿から画像を読み取る。
【００１９】
画像処理部３１は、原稿読取部５で読み取られた画像の画像データを必要に応じて画像処理する。例えば、画像処理部３１は、原稿読取部５により読み取られた画像が画像形成部１２により画像形成された後の品質を向上させるために、シェーディング補正等の予め定められた画像処理を行う。
【００２０】
画像メモリー３２は、原稿読取部５による読取で得られた原稿画像のデータを一時的に記憶したり、画像形成部１２のプリント対象となるデータを一時的に保存する領域である。
【００２１】
画像形成部１２は、原稿読取部５で読み取られた印刷データ、ネットワーク接続されたコンピューター２００から受信した印刷データ等の画像形成を行う。
【００２２】
操作部４７は、画像形成装置１が実行可能な各種動作及び処理について操作者からの指示を受け付ける。操作部４７は、表示部４７３を備える。
【００２３】
表示部４７３は、操作画面、プレビュー画面、印刷ジョブ状況の確認画面等の各種表示をする。
【００２４】
ファクシミリ通信部７１は、図略の符号化／復号化部、変復調部及びＮＣＵ（Network Control Unit）を備え、公衆電話回線網を用いてのファクシミリの送信を行うものである。
【００２５】
ネットワークインターフェイス部９１は、ＬＡＮボード等の通信モジュールから構成され、当該ネットワークインターフェイス部９１に接続されたＬＡＮ等を介して、ローカルエリア内のコンピューター２００等と種々のデータの送受信を行う。
【００２６】
ＨＤＤ９２は、原稿読取部５によって読み取られた原稿画像等を記憶する大容量の記憶装置である。
【００２７】
駆動モーター７０は、画像形成部１２の各回転部材及び搬送ローラー対１９等に回転駆動力を付与する駆動源である。
【００２８】
制御ユニット１０は、ＣＰＵ(Central Processing Unit)、ＲＡＭ、ＲＯＭ及び専用のハードウェア回路等から構成され、画像形成装置１の全体的な動作制御を司る。制御ユニット１０は、画像形成装置１の全体的な動作制御を司る主制御部１０１を備えている。
【００２９】
主制御部１０１は、操作部４７、原稿給送部６、原稿読取部５、画像処理部３１、画像メモリー３２、画像形成部１２、駆動モーター７０、ファクシミリ通信部７１、ネットワークインターフェイス部９１、ＨＤＤ９２、及び電源制御回路１００等と接続され、これら各部の制御を行う。
【００３０】
画像形成装置１には、商用電圧（例えば、ＡＣ１００Ｖ）が供給されており、商用電圧は図略の電源回路により直流電圧（例えば、ＤＣ２４Ｖ）に変換される。そして、例えば、当該直流電圧は図略のＤＣ／ＤＣコンバーター等により各種直流電圧に変換され、画像形成装置１における各種電動部材や電子部品に直流電圧が供給される。画像形成装置１では、当該各種電動部材や電子部品への各電力供給を制御するために、電力供給を制御する各部材又は部品毎に電源回路（以下、電源系統という）が設けられている。
【００３１】
電源制御回路１００は、画像形成装置１に備えられた上記複数の電源系統を制御する回路である。
【００３２】
次に、電源制御回路１００の構成を説明する。図３は、電源制御回路１００の構成を示す電気的ブロック図である。
【００３３】
電源制御回路１００は、シーケンス制御マイコン１０２、バッファ回路１０３、電源オン／オフ制御回路１０４、及び瞬停検出回路８０を備える。
【００３４】
シーケンス制御マイコン１０２は、画像形成装置１の電源投入時や省電力モード（スリープ状態）への移行時等において、上記複数の電源系統のそれぞれを順に起動又は停止させるための電源制御信号を出力する専用のマイコンである。シーケンス制御マイコン１０２には、上記複数の電源系統を順に起動又は停止させる予め定められた電源シーケンスを制御するプログラムが記憶されている。シーケンス制御マイコン１０２は、当該プログラムに従った動作により、各電源系統用の電源制御信号を出力する。シーケンス制御マイコン１０２は、特許請求の範囲における電源シーケンス制御部に相当する。
【００３５】
シーケンス制御マイコン１０２は、主制御部１０１の要求に従って電源シーケンスを開始する。また、シーケンス制御マイコン１０２は、瞬停検出回路８０から瞬停検出信号を受けたとき、上記複数の電源系統のそれぞれを停止させるために各電源制御信号を出力する。
【００３６】
バッファ回路１０３は、シーケンス制御マイコン１０２から出力された電源制御信号を電源オン／オフ制御回路１０４に伝達する回路である。また、バッファ回路１０３は、出力イネーブル（ＯＥ）信号に応じて、シーケンス制御マイコン１０２から入力された電源制御信号を電源オン／オフ制御回路１０４に伝達するか否かを切り換える。
【００３７】
例えば、ＯＥ信号がアクティブ（例えば、Ｈレベル）のとき、バッファ回路１０３は電源制御信号を電源オン／オフ制御回路１０４に伝達する。一方、ＯＥ信号が非アクティブ（例えば、Ｌレベル）のとき、バッファ回路１０３の出力はハイインピーダンスとなり、バッファ回路１０３は、シーケンス制御マイコン１０２から出力された電源制御信号を、電源オン／オフ制御回路１０４に伝達しない。
【００３８】
電源オン／オフ制御回路１０４は、バッファ回路１０３を介して与えられた上記各電源制御信号に従って、複数の電源系統のそれぞれを個別に起動又は停止させる回路である。
【００３９】
主制御部１０１は、シーケンス制御マイコン１０２に対して、上記複数の電源系統を起動又は停止させる制御の開始を要求する。また、主制御部１０１は、バッファ回路１０３に対してＯＥ信号を出力して、バッファ回路１０３に対して電源制御信号の伝達を停止させるか否かを制御する。より詳細には、主制御部１０１は、画像形成装置１の電源投入時や省電力モード（スリープ状態）への移行時等において、シーケンス制御マイコン１０２に上記複数の電源系統の起動又は停止の開始を要求するときには、ＯＥ信号をアクティブにして、バッファ回路１０３により電源制御信号を電源オン／オフ制御回路１０４に対して伝達させる。一方、例えば電源オン／オフ制御回路１０４により上記複数の電源系統が起動された後、電源シーケンスを実施する必要がない期間においては、主制御部１０１は、ＯＥ信号を非アクティブにして、バッファ回路１０３による電源オン／オフ制御回路１０４への電源制御信号の伝達を停止させる。
【００４０】
これにより、シーケンス制御マイコン１０２が外部ノイズ等の影響により誤動作を起こして意図しない電源シーケンスが開始されても、電源制御信号は電源オン／オフ制御回路１０４に伝達されない。このため、例えば、シーケンス制御マイコン１０２が異常になった場合でも、当該異常なシーケンス制御マイコン１０２から出力される電源制御信号によって電源オン／オフ制御回路１０４が動作することが防止され、電源系統等の電源関係各システムが異常動作する事態を回避できる。例えば、シーケンス制御マイコン１０２が異常状態に陥った場合であっても、当該システムが異常な状態に陥らずに安全にシステムの電源を落とすことができる。これにより、シーケンス制御マイコン１０２の異常により例えば不慮の電源断が生じても、主制御部１０１が書き換え中のソフトウェアやメモリーが破壊されること等を防ぎ、このような不慮の電源断が生じた後であっても次回システムの起動に正常にシステムを起動させることが可能になる。
【００４１】
上記ＯＥ信号の制御の他、少なくとも、主制御部１０１は、電源断を生じてはならない予め定められた動作を実行しているときに、ＯＥ信号を非アクティブにしてバッファ回路１０３に対して電源制御信号の伝達を停止させる制御を行うものとしてもよい。上記電源断を生じてはならない当該予め定められた動作とは、例えば、主制御部１０１が、図略の不揮発性メモリーにデータを書き込む動作等である。但し、当該予め定められた動作は、当該メモリー書き込み動作には限定されない。
【００４２】
このように、主制御部１０１が、上記電源断を生じてはならない上記予め定められた動作の実行時に、バッファ回路１０３に対して電源制御信号の伝達を停止させることで、万が一、シーケンス制御マイコン１０２が異常な状態に陥った場合でも、各種電源系統が急に落とされるのを防ぐことができる。
【００４３】
瞬停検出回路８０は、画像形成部１２や定着部１３（図１）等に各種駆動電力を供給するための電源系統の元電源の瞬時停電を検出する回路である。瞬停検出回路８０は上記元電源としての直流電圧（例えば、ＤＣ２４Ｖ）の瞬時停電を検出して、瞬時停電の検出時には、瞬停検出信号を、シーケンス制御マイコン１０２、バッファ回路１０３、及び主制御部１０１に出力する。
【００４４】
バッファ回路１０３に入力されるＯＥ信号は、主制御部１０１から出力されるＯＥ信号及び瞬停検出回路８０から出力される瞬停検出信号の論理和信号である。従って、バッファ回路１０３は、瞬停検出信号を受けたとき、主制御部１０１から出力されるＯＥ信号がアクティブであるか非アクティブであるかにかかわらず、シーケンス制御マイコン１０２から出力された電源制御信号を電源オン／オフ制御回路１０４に伝達する。
【００４５】
複数の電源系統の元電源に瞬時停電が発生した場合、主制御部１０１が瞬停検出回路８０から瞬停検出信号を受けてバッファ回路１０３のＯＥ信号を非アクティブにしていたのでは速やかな電源停止動作が行えない。そこで、上記のように、瞬停検出信号単独でＯＥ信号をアクティブにすることで、バッファ回路１０３は、瞬時停電の発生時には、主制御部１０１からの指令にかかわらずシーケンス制御マイコン１０２から出力された電源制御信号を電源オン／オフ制御回路１０４に伝達させて、速やかに瞬時停電に対応した電源シーケンスを可能にしている。
【００４６】
このとき、主制御部１０１は、例えば、図略の不揮発性メモリーにデータを書き込んでいる最中に瞬停検出回路８０から瞬停検出信号を受けたとき、電源断が発生してもデータやメモリーが破損しない状態にしてから当該メモリーへのデータ書き込みを中止する。すなわち、主制御部１０１は、瞬停検出信号を受けたとき、電源断が発生してもデータやメモリーが破損しない状態にするという処理を、電源断に備える予め定められたシーケンスとして、当該シーケンスを完了させる。
【００４７】
当該シーケンスを完了させる理由は、瞬停検出回路８０によって元電源の瞬時停電が検出された場合、瞬停検出信号がシーケンス制御マイコン１０２にも伝達されてシーケンス制御マイコン１０２が電源停止シーケンスを開始するため、データの書き込み中に主制御部１０１や不揮発性メモリーの電源が停止するおそれがあるからである。
【００４８】
ここで、瞬停検出回路８０から出力される瞬停検出信号は、バッファ回路１０３よりも主制御部１０１に対して先に入力されるように構成されている。例えば、瞬停検出回路８０は、主制御部１０１に対して出力する瞬停検出信号を１８（Ｖ）、バッファ回路１０３に対して出力する瞬停検出信号を６（Ｖ）として、両信号の電圧に電位差を設ける。瞬停検出回路８０の駆動電圧が２４（Ｖ）であるとき、瞬停検出回路８０は、内部で、駆動電圧２４（Ｖ）を１８（Ｖ）に落として瞬停検出信号を生成して主制御部１０１に瞬停検出信号を出力し、駆動電圧２４（Ｖ）を６（Ｖ）に落としてバッファ回路１０３用の瞬停検出信号を生成してバッファ回路１０３に瞬停検出信号を出力する。これにより、電圧降下に要する時間分だけ、瞬停検出回路８０からバッファ回路１０３に瞬停検出信号が出力するタイミングを、主制御部１０１に出力するタイミングよりも遅らせる。これにより、主制御部１０１は、バッファ回路１０３よりも早いタイミングで瞬停検出信号を受けるので、当該両者で瞬停検出信号を受けるタイミングの時間差を利用して、主制御部１０１が上記予め定められたシーケンスを完了させる。
【００４９】
すなわち、バッファ回路１０３には、主制御部１０１による上記予め定められたシーケンスの完了時以降のタイミングで瞬停検出信号が入力され、バッファ回路１０３は、当該瞬停検出信号に応じて、シーケンス制御マイコン１０２から出力された電源制御信号を、電源オン／オフ制御回路１０４に伝達する状態に切り換わる。
【００５０】
なお、画像形成装置１の省電力モード（スリープ状態）への移行時に、主制御部１０１は、シーケンス制御マイコン１０２と通信して、シーケンス制御マイコン１０２の動作状態が正常かどうかを確認するようにしてもよい。もしシーケンス制御マイコン１０２の動作状態が正常であれば、上記のように、主制御部１０１は、ＯＥ信号をアクティブにした上で、シーケンス制御マイコン１０２に電源停止のシーケンス開始を要求する。
【００５１】
一方、シーケンス制御マイコン１０２の動作状態が異常であれば、電源停止シーケンスが正しく実施できないため、主制御部１０１は、シーケンス制御マイコン１０２の動作状態が異常であると判断して、例えばＯＥ信号を非アクティブにしたままで、画像形成装置１の電源断状態に備える上記予め定められたシーケンス（メモリーへのデータ書き込みの中断等）を実行させた後に、表示部４７３に、画像形成装置１を電源オフにすること又は再起動を促すメッセージを表示させてもよい。これにより、ユーザーによって画像形成装置１が電源オフ又は再起動され、異常状態に陥っているシーケンス制御マイコン１０２による動作を停止させる、又はシーケンス制御マイコン１０２をリセットすることができる。
【００５２】
次に、画像形成装置１の起動時の動作について説明する。図４は、画像形成装置１の起動時の動作を示すフローチャートである。
【００５３】
ユーザーが画像形成装置１の電源をオンにして画像形成装置１が起動する（Ｓ１１）。画像形成装置１の起動直後において主制御部１０１はバッファ回路１０３のＯＥ信号をアクティブとし、電源制御信号が電源オン／オフ制御回路１０４に伝達される状態とする（Ｓ１２）。そして、シーケンス制御マイコン１０２が動作を開始すると、上記複数の電源系統を順に起動及び停止させる上記予め定められた電源シーケンスが実施され（Ｓ１３）、シーケンス制御マイコン１０２の出力する電源制御信号がバッファ回路１０３を介して電源オン／オフ制御回路１０４に伝達される（Ｓ１４）。これにより、画像形成装置１における各種電源系統が順次立ち上がり、主制御部１０１にも電源が供給される。
【００５４】
主制御部１０１は電源が供給されることで動作を開始し（Ｓ１５）、バッファ回路１０３のＯＥ信号を非アクティブにする（Ｓ１６）。
【００５５】
これにより、この後は、シーケンス制御マイコン１０２が異常な状態に陥って意図しない電源制御信号が出力されても、その電源制御信号はバッファ回路１０３を介して電源オン／オフ制御回路１０４に伝達されることはなく、各種電源が急に落とされることがない。
【００５６】
次に、画像形成装置１が省電力モードへ移行するときの動作について説明する。図５は、省電力モードへ移行時の動作を示すフローチャートである。
【００５７】
省電力モードへの移行前において、上記のように、バッファ回路１０３のＯＥ信号は非アクティブとなっている。省電力モードへの移行に先立って、主制御部１０１はシーケンス制御マイコン１０２と通信してシーケンス制御マイコン１０２の動作状態を確認する（Ｓ２１）。ここで、シーケンス制御マイコン１０２が正常に動作していれば（Ｓ２２でＹＥＳ）、主制御部１０１は、バッファ回路１０３のＯＥ信号をアクティブにして、電源制御信号が電源オン／オフ制御回路１０４に伝達可能となる状態にする（Ｓ２３）。そして、主制御部１０１は、シーケンス制御マイコン１０２に対して、予め定められた電源停止シーケンスを開始するよう要求する（Ｓ２４）。シーケンス制御マイコン１０２は、主制御部１０１から当該要求を受けると上記電源停止シーケンスを実施する（Ｓ２５）。この結果、シーケンス制御マイコン１０２から電源制御信号がバッファ回路１０３を介して電源オン／オフ制御回路１０４に伝達され、各種電源系統が停止する。
【００５８】
一方、シーケンス制御マイコン１０２の動作状態が異常であれば（Ｓ２２でＮＯ）、主制御部１０１は、電源断状態に備える上述した予め定められたシーケンスを実施する（Ｓ２６）。例えば、主制御部１０１は、図略の不揮発性メモリーにデータの書き込みを行っていればそれを中断する。そして、主制御部１０１は、表示部４７３に、画像形成装置１の電源オフ又は再起動を促すメッセージを表示させる（Ｓ２７）。これにより、ユーザーが画像形成装置１を電源オフにする又は再起動することによって、異常状態に陥っているシーケンス制御マイコン１０２による動作を停止させる、又はシーケンス制御マイコン１０２をリセットすることができる。
【００５９】
上記のように、本実施形態によれば、シーケンス制御マイコン１０２がロックしてしまった場合であっても画像形成装置１が異常な状態に陥ることなく画像形成装置１の電源を落とすことができる。これにより、不慮の電源断による、書き込み中のプログラムやデータの破損、又はメモリー破壊等を防いで、次回確実に画像形成装置１を正常に起動することができる。
【００６０】
なお、本発明は上記実施の形態の構成に限られず種々の変形が可能である。例えば、本発明に係る画像形成装置の一実施形態として複合機を用いて説明しているが、これは一例に過ぎず、プリンターやＦＡＸ機等の他の画像形成装置でもよい。また、画像形成装置１は本発明に係る電子機器の一例に過ぎないため、本発明に係る電子機器は画像形成装置１には限定されない。
【００６１】
また、図１乃至図５を用いて上記実施形態により示した構成及び処理は、本発明の一実施形態に過ぎず、本発明を当該構成及び処理に限定する趣旨ではない。
【符号の説明】
【００６２】
１        画像形成装置
８０      瞬停検出回路
１００    電源制御回路
１０１    主制御部
１０２    シーケンス制御マイコン（電源シーケンス制御部）
１０３    バッファ回路
１０４    電源オン／オフ制御回路
４７３    表示部
【図１】
2016085404.tif 000003
【図２】
2016085404.tif 000004
【図３】
2016085404.tif 000005
【図４】
2016085404.tif 000006
【図５】
2016085404.tif 000007